(57)【要約】  棚板などの取付け対象物に下から撥ね上げるような力が働いたときにも、棚板に固定される受け体が支持レールから外れることのない受け具を提供する。  受け具は、ほぼ水平方向に伸びる溝９を正面側に有する支持レール２と、支持レール２の溝９に挿入部４ａが着脱可能に嵌め込まれると共に、取付け対象物を受ける受け体３と、を備える。受け体３の挿入部４ａを支持レール２の溝９に嵌めたとき、受け体３の挿入部４ａの第一の係合部１３が、支持レール２の溝９の第一の係合部１６に引っ掛かって、受け体３が支持レール２の溝９から手前側に抜けるのが防止される。一方、受け体３に撥ね上げる力が働いたとき、受け体３の挿入部４ａが支持レール２の溝９の内部で所定角度回転すると、受け体３の挿入部４ａの第二の係合部１４が、支持レール２の溝９の内部の第二の係合部１７に当接して、受け体３の回転が停止する。
2008059628.tif 000002
【特許請求の範囲】
【請求項１】
ほぼ水平方向に伸びる溝を正面側に有する支持体と、前記支持体の前記溝に挿入部が着脱可能に嵌め込まれると共に、取付け対象物を受ける受け体と、を備える受け具において、
前記受け体の前記挿入部を前記支持体の前記溝に嵌めたとき、前記受け体の前記挿入部の第一の係合部が、前記支持体の前記溝の第一の係合部に引っ掛かって、前記受け体が前記支持体の前記溝から手前側に抜けるのが防止される一方、
前記受け体に撥ね上げる力が働いたとき、前記受け体の前記挿入部が前記支持体の前記溝内で回転するように、前記受け体の前記挿入部の周囲にスペースが設けられ、
前記受け体の前記挿入部が前記支持体の前記溝内で所定角度回転すると、前記受け体の前記挿入部の第二の係合部が、前記支持体の前記溝の第二の係合部に当接して、前記受け体の回転が停止することを特徴とする受け具。
【請求項２】
前記受け体の前記挿入部を前記支持体の前記溝内で前記所定角度より小さい角度で回転させながら、前記受け体を前記支持体の手前側に引き出すと、前記受け体の前記第一の係合部が前記支持体の第一の係合部から外れると共に、前記受け体の前記第二の係合部と前記支持体の前記第二の係合部との当接が解除され、
そして、前記受け体の前記第一の係合部が前記支持体の前記第一の係合部から外れると共に、前記受け体の前記第二の係合部と前記支持体の前記第二の係合部との当接が解除された状態で、前記受け体をさらに回転させると、前記受け体が前記支持体から取り外されることを特徴とする請求項１に記載の受け具。
【請求項３】
前記受け体の前記挿入部は、前記支持体の前記溝内の奥に向かって上方に折れ曲がる鉤形状に形成され、
前記挿入部の基部に前記受け体の前記第一の係合部が設けられ、前記挿入部の先端に前記受け体の前記第二の係合部が設けられ、
前記支持体の前記溝内の手前側にかつ下側に前記支持体の前記第一の係合部が設けられ、前記支持体の前記溝内の奥側にかつ前記支持体の前記第一の係合部よりも上方に前記支持体の前記第二の係合部が設けられることを特徴とする請求項１又は２に記載の受け具。
【発明の詳細な説明】
【技術分野】
【０００１】
本発明は、建築物や家具などの壁に、棚板などの取付け対象物を取り付けるための受け具に関する。
【背景技術】
【０００２】
建築物や家具などの壁に、棚板などの取付け対象物を取り付けるための受け具が用いられる。棚板の取り付け位置を変更できたり、壁から棚板を容易に着脱できたりすると、レイアウトの変更に便利である。従来から棚板の取り付け位置を変更できる棚受けシステムとして、取付けレールとアダプタとからなる受け具を、壁を構成するボード間に介在させたものが知られている。【０００３】
例えば特許文献１には、図１４Ａ及び図１４Ｂに示されるように、壁体Ｗに沿って複数枚のボード３１を設置し、上下のボード３１間に水平方向に伸びる取付けレール３２を介在させ、取付けレール３２に形成された断面円弧状の溝３２ａにアダプタ３３の挿入部３３ａを挿入したものが開示されている。棚板３４はアダプタ３３のブラケット３３ｂ上に載せられる。挿入部３３ａの断面形状は、取付けレール３２の円弧状に溝３２ａの断面形状と一致する。【０００４】
棚板３４を装着したアダプタ３３を傾けた状態で挿入部３３ａを取付けレール３２の溝３２ａに挿入し、挿入部３３ａを回転させながら溝３２ａの奥まで挿入すると、アダプタ３３を取付けレール３２に取付けることができる。この状態になると、アダプタ３３の挿入部３３ａは取付けレール３２に対して上下方向へも水平方向へも直線的に移動できなくなる。棚板３４の自重によってブラケット３３ｂの下部３６にはボード３１を水平方向に押す力が働く。これと同時にブラケット３３ｂの下部にはボード３１からの反力が働く。アダプタ３３の挿入部３３ａは水平方向にも垂直方向へも移動できないので、挿入部３３ａにはブラケット３３ｂの下部３６に働く反力に対向する力が働く。ブラケット３３ｂの下部３６に働く反力と挿入部３３ａに働く力とがつりあうので、アダプタ３３に載せられた棚板３４を安定して支持することができる。
【特許文献１】実用新案登録第３０７８６９２号公報（１頁、図１参照）
【発明の開示】
【発明が解決しようとする課題】
【０００５】
しかし、棚受けシステムにあっては、棚板３４の下側に人の頭部などが当たって、棚板３４及びアダプタ３３に直線的な撥ね上げる力が働くことがある。棚板３４及びアダプタ３３に直線的な撥ね上げる力が働くと、アダプタ３３の挿入部３３ａにはモーメントが働き、アダプタ３３の挿入部３３ａが回転しながら取付けレールの溝から抜けようとする。撥ね上げる力によっては、アダプタ３３が取付けレール３２から外れ、脱落することさえもある。【０００６】
そこで本発明は、棚板などの取付け対象物に下から撥ね上げるような力が働いたときにも、取付けレール（支持体）からアダプタ（受け体）が外れることのない受け具を提供することを目的とする。
【課題を解決するための手段】
【０００７】
以下、本発明について説明する。なお、本発明の理解を容易にするために添付図面の参照番号を括弧書きにて付記するが、それにより本発明が図示の形態に限定されるものでない。【０００８】
上記課題を解決するために、請求項１に記載の発明は、ほぼ水平方向に伸びる溝(9)を正面側に有する支持体(2)と、前記支持体(2)の前記溝に挿入部(4a)が着脱可能に嵌め込まれると共に、取付け対象物(8)を受ける受け体(3)と、を備える受け具において、前記受け体(3)の前記挿入部(4a)を前記支持体(2)の前記溝(9)に嵌めたとき、前記受け体(3)の前記挿入部(4a)の第一の係合部(13)が、前記支持体(2)の前記溝(9)の第一の係合部(16)に引っ掛かって、前記受け体(3)が前記支持体(2)の前記溝(9)から手前側に抜けるのが防止される一方、前記受け体(3)に撥ね上げる力が働いたとき、前記受け体(3)の前記挿入部(4a)が前記支持体(2)の前記溝(9)内で回転するように、前記受け体(3)の前記挿入部(4a)の周囲にスペースが設けられ、前記受け体(3)の前記挿入部(4a)が前記支持体(2)の前記溝(9)内で所定角度回転すると、前記受け体(3)の前記挿入部(4a)の第二の係合部(14)が、前記支持体(2)の前記溝(9)の第二の係合部(17)に当接して、前記受け体(3)の回転が停止することを特徴とする受け具である。【０００９】
請求項２に記載の発明は、請求項１に記載の受け具において、前記受け体(3)の前記挿入部(4a)を前記支持体(2)の前記溝(9)内で前記所定角度より小さい角度で回転させながら、前記受け体(3)を前記支持体(2)の手前側に引き出すと、前記受け体(3)の前記第一の係合部(13)が前記支持体(2)の第一の係合部(16)から外れると共に、前記受け体(3)の前記第二の係合部(14)と前記支持体(2)の前記第二の係合部(17)との当接が解除され、そして、前記受け体(3)の前記第一の係合部(13)が前記支持体(2)の前記第一の係合部（16）から外れると共に、前記受け体(3)の前記第二の係合部(14)と前記支持体(2)の前記第二の係合部(17)との当接が解除された状態で、前記受け体(3)をさらに回転させると、前記受け体(3)が前記支持体(2)から取り外されることを特徴とする。【００１０】
請求項３に記載の発明は、請求項１又は２に記載の受け具において、前記受け体(3)の前記挿入部(4a)は、前記支持体(2)の前記溝(9)内の奥に向かって上方に折れ曲がる鉤形状に形成され、前記挿入部(4a)の基部に前記受け体(3)の前記第一の係合部(13)が設けられ、前記挿入部(4a)の先端に前記受け体(3)の前記第二の係合部(14)が設けられ、前記支持体(2)の前記溝(9)内の手前側にかつ下側に前記支持体(2)の前記第一の係合部(16)が設けられ、前記支持体(2)の前記溝(9)内の奥側にかつ前記支持体(2)の前記第一の係合部(16)よりも上方に前記支持体(2)の前記第二の係合部(17)が設けられることを特徴とする。
【発明の効果】
【００１１】
請求項１に記載の発明によれば、受け体に撥ね上げる力が働いたとき、受け体の第二の係合部が支持体の第二の係合部に引っ掛かって、受け体の回転が停止する。受け体の挿入部が所定角度以上回転することがないので、受け体の挿入部が支持体の溝から外れることもない。よって、突発的に撥ね上げる力が働くときにも、受け体が支持体から外れるのを防止できる。【００１２】
請求項２に記載の発明によれば、受け体を支持体から取り外すことができる。【００１３】
請求項３に記載の発明によれば、受け体及び支持体それぞれに第一及び第二の係合部を設けることができる。
【図面の簡単な説明】
【００１４】
【図１】本発明の一実施形態の受け具が組み込まれる棚システムの分解斜視図
【図２】棚受システムを組み立てた状態の斜視図（受け体を支持レールから取り外した状態）
【図３】棚受システムを組み立てた状態の斜視図（受け体を支持レールに取り付けた状態）
【図４】受け具の詳細斜視図
【図５】受け具の詳細側面図
【図６】受け体を支持レールに取り付けるときの工程図
【図７】受け体を支持レールに取り付けるときの工程図
【図８】受け体に撥ね上げる力が働いたときの状態を示す側面図
【図９】受け体を支持レールから取り外すときの工程図
【図１０】受け体を支持レールから取り外すときの工程図
【図１１】受け体を支持レールから取り外すときの工程図
【図１２】受け具の他の例を示す側面図
【図１３】受け具の他の例を示す斜視図
【図１４Ａ】従来の受け具を示す斜視図
【図１４Ｂ】従来の受け具を示す側面図
【符号の説明】
【００１５】
２…支持レール（支持体）
３…受け体
４ｃ…垂直壁部
４ｂ…水平壁部
４ａ…挿入部
８…棚板（取付け対象物）
９…溝
１３…受け体の第一の係合部
１４…受け体の第二の係合部
１６…支持レールの第一の係合部
１７…支持レールの第二の係合部
２５…受け体
２６ａ…挿入部
２６ｂ…水平壁部
２６ｃ…垂直壁部
２８…受け体の第一の係合部
２９…受け体の第二の係合部
４１…フック（取付け対象物）
４２…溝
４３…受け体
４４…支持体
【発明を実施するための最良の形態】
【００１６】
以下添付図面に基づいて、本発明の受け具の一実施形態を説明する。図１は、受け具が組み込まれる棚システムの分解斜視図を示す。棚システムは、住宅、オフィス、店舗、工場などの壁に設置され、棚板、収納キャビネット、吊下具（フック）などの取付け対象物を壁に着脱可能に取り付けるのに用いられる。【００１７】
棚システムは、複数枚のボード１と、ボード１間に介在される支持体の一例である支持レール２と、支持レール２の溝に着脱可能に嵌め込まれる受け体３と、で構成される。受け体３は、棚板８の端部に固定される。受け具は、支持レール２と受け体３とからなる。支持レール２及び受け体３は、いずれもアルミなどの金属製であり、押出成形やダイカストなどにより製造される。【００１８】
各ボード１は四角形状である。床から天井に向かって高さ方向に複数枚のボード１が組み立てられる。ボード１の裏面側は、壁体であってもよいし、壁下地であってもよい。ボード１の組立て方法は以下のとおりである。まず最下部の幅木７をビスなどで壁体に固定し、幅木７の上部に最下段のボード１をはめ込む。次に、最下段のボード１の上部に一段目の支持レール２を嵌め、支持レール２をビスなどで壁に固定する。次に、一段目の支持レール２の上部に二段目のボード１をはめ込む。次に、二段目のボード１の上部に二段目の支持レール２を嵌め、二段目の支持レール２をビスなどで壁に固定し、二段目の支持レール２の上部に三段目のボード１をはめ込む。以下、必要な高さになるまでこの作業を繰り返す。最後に最上段のボード１の上面を化粧レールで覆う。【００１９】
図２及び図３は、棚受システムを組み立てた状態を示す。図２は、棚板８を装着した受け体３を支持レール２から取り外した状態を示し、図３は、受け体３を支持レール２に取り付けた状態を示す。上下のボード１間には水平方向に伸びる支持レール２が介在される。支持レール２は、上下のボード１間に挟まれる中央部２ｂと、下側のボード１の裏面側に垂れ下がる垂下部２ｃと、上側のボード１の裏面側に設けられる立設部２ａと、を有する。支持レール２の中央部２ｂの正面には、水平方向に伸びる溝９が形成される。この溝９に受け体３が着脱可能に取り付けられる。【００２０】
図２に示されるように、受け体３は、この実施形態では三分割される。すなわち受け体３は、支持レール２の溝９に嵌め込まれる挿入部４ａが形成される受け体本体４と、ビス１１（図５参照）などによって受け体本体４に結合されるブラケット５と、ビス１２（図５参照）などによってブラケット５に結合されるブラケット脚部６と、で構成される。棚板８は受け体本体４とブラケット５との間に挟まれる。【００２１】
図３に示されるように、受け体３の挿入部４ａを溝９に挿入して溝９の内壁に引っ掛けると、受け体３の挿入部４ａは手前側へ直線的に移動できなくなる。受け体３を支持レール２に取り付けると、棚板８の自重によって、受け体３のブラケット脚部６にボード１を押す力が働き、ブラケット脚部６にはボード１からの反力が働く。受け体３の挿入部４ａは手前側へ移動できないから、受け体３の挿入部４ａには、反力に対向する力が働く。受け体３のブラケット脚部６に働く反力と受け体３の挿入部４ａに働く力がつりあうので、受け体３に装着された棚板８を安定して支持することができる。【００２２】
受け体３に装着された棚板８をわずかに持ち上げると、受け体３を支持レール２に取り付けた後でも、支持レール２に沿って受け体３を左右方向に移動させることができる。詳しくは後述するが、受け体３を支持レール２から取り外すこともできる。棚板８の位置を変更することが容易になるので、レイアウトの変更に便利になる。【００２３】
図４及び図５は、受け具の詳細図を示す。図４は受け具の斜視図を、図５は受け具の側面図を示す。これらの図においては、受け体３の挿入部４ａを支持レール２の溝９に嵌めた状態が示されている。上述のように、受け体３は、受け体本体４、ブラケット５及びブラケット脚部６の三部品から構成される。【００２４】
受け体本体４は、支持レール２の溝９に挿入される挿入部４ａと、挿入部４ａから手前側に伸び、棚板８の上面に当接可能な水平壁部４ｂと、水平壁部４ｂから垂直方向に垂れ下がり、棚板８の側面に当接可能な垂直壁部４ｃと、を有する。挿入部４ａは、支持レール２の溝９の奥に向かって上方に折れ曲がった円弧状の鉤形状に形成される。挿入部４ａの基部には、凹状の第一の係合部１３が設けられ、挿入部４ａの先端にフック状の第二の係合部１４が設けられる。【００２５】
ブラケット５は、棚板８の下面を支えることができるように棚板８の下面側に張り出す断面三角形状のブラケット本体５ａと、受け体３の受け体本体４の垂直壁部の裏面側に設けられる高さ調整部５ｂと、ブラケット本体５ａからボード１側に突出する脚部取付け部５ｃと、を有する。ブラケットの高さ調整部５ｂには垂直方向に長い長孔が加工される。棚板８の厚みの変化に対応できるように、長孔を利用して受け体本体４の水平壁部４ｂからブラケット本体５ａまでの距離を調整する。受け体本体４の垂直壁部４ｃとブラケット５の高さ調整部５ｂの対向面には、調整後の位置ずれを防止できるように、それぞれぎざぎざの刻み目が加工される。【００２６】
ブラケット脚部６は、傾斜したブラケット５の脚部取付け部５ｃに取り付けられる。ブラケット脚部６には、ブラケット５に対してブラケット脚部６をボード１に接近する方向へ移動できるように長孔が加工される。棚板８の自重によってブラケット脚部６がボード１に接触し、かつボード１を押すことができるように、ブラケット脚部６の位置が調整される。【００２７】
上述のように、支持レール２は、上下のボード１間に挟まれる中央部２ｂと、下側のボード１の裏面側に垂れ下がる垂下部２ｃと、上側のボード１の裏面側に設けられる立設部２ａと、を有する。立設部２ａは、ビスの頭の寸法に合わせて凹状に窪んでいる。垂下部２ｃの裏面には、立設部２ａの厚みに合わせてリブ２ｄが設けられる。中央部２ｂの上面及び下面には、ボード１が嵌められるボード挿入溝２ｅが形成される。支持レール２の中央部２ｂの正面には、受け体３の挿入部４ａが挿入される溝９が形成される。挿入部４ａの周囲には、挿入部４ａが溝９の内部を所定角度回転でき、かつ挿入部４ａが手前側にわずかに移動できるように、鉤形状の挿入部４ａに対応させたスペースが空けられる。また、支持レール２の溝９の内部の手前側かつ下側には、挿入部４ａの凹状の第一の係合部１３に嵌まり合う凸状の第一の係合部１６が設けられる。支持レール２の溝９の内部の手前側かつ上側には、溝幅を狭めるように垂下する突起部１９が設けられる。支持レール２の溝９の内部の奥側には、挿入部４ａのフック状の第二の係合部１４に係合する窪んだ形状の第二の係合部１７が設けられる。第二の係合部１７は第一の係合部１６よりも高い位置に設けられる。【００２８】
図６及び図７は、棚板８が装着された受け体３を支持レール２に取り付けるときの工程図を示す。まず、図６に示されるように、ボード１に対して棚板８及び受け体３を傾けて、受け体３の挿入部４ａを支持レール２の溝９に挿入する（Ｓ１）。棚板８は受け体３の挿入部４ａよりも下方に設けられるので、棚板８及び受け体３の傾き角度を大きくとることができ、受け体３を支持レール２の溝９に挿入する作業がやり易くなる。次に、傾けた受け体３を円弧状の挿入部４ａの形状に合わせて図中反時計方向に回転させながら、支持レール２の溝９の奥まで差し込む。挿入部４ａの差し込み動作に伴い、挿入部４ａの第二の係合部１４が支持レール２の第一の係合部１６を通過し（Ｓ２）、図７に示されるように、挿入部４ａの第一の係合部１３が支持レール２の第一の係合部１６の近傍まで移動する（Ｓ３）。棚板８が水平になるまで回転させると、挿入部４ａの第一の係合部１３が支持レール２の第一の係合部１６の上方まで移動する。棚板８を手から離すと、棚板８の自重によって受け体３の第一の係合部１３が支持レール２の第一の係合部１６に引っ掛かる（Ｓ４）。受け体３の第一の係合部１３が支持レール２の第一の係合部１６に引っ掛かると、受け体３が支持レール２の溝９から抜けるのが防止される。受け体３の挿入部４ａに働く力は、受け体３のブラケット脚部６に働く反力と等しい。なお、このとき、受け体３の挿入部４ａの第二の係合部１４は、支持レール２の溝９の内部の第二の係合部１７に当接していない。【００２９】
受け体３の挿入部４ａを支持レール２の溝９に嵌めて、受け体３を支持レール２に取り付けた状態において、受け体３の挿入部４ａの上端２１（図５参照）は、支持レール２の溝９の上壁面に当接してもよいし、しなくてもよい。受け体３の挿入部４ａの上端２１が支持レール２の溝９の上壁面に当接すると、受け体３の第一の係合部１３と支持レール２の第一の係合部１６との接触点を支点とする曲げモーメントを受けることができるので、ブラケット脚部６に働く反力を低減することができる。【００３０】
図８は、受け体３に撥ね上げる力が働いたときの状態を示す。棚板８の下側に人の頭が当たると、棚板８には上方向の直線的な力が働き、棚板８が上昇しようとする（Ｓ１）。棚板８が上昇すると、すぐに受け体３の挿入部４ａが支持レール２の溝９の上側の突起部１９に当接する。そして、受け体３の挿入部４ａは、支持レール２の突起部１９との接触点を支点にして溝９の内部を時計方向に回転する。受け体３の挿入部４ａが所定角度回転すると、受け体３の第二の係合部１４が支持レール２の第二の係合部１７に当接して、受け体３の回転が停止する（Ｓ２）。支持レール２に突起部１９を設けることで、受け体３の第二の係合部１４が支持レール２の第二の係合部１７に当接するまでの回転角度を小さくすることができ、受け体３の第二の係合部１４を支持レール２の第二の係合部１７に確実に当接させることができる。受け体３の挿入部４ａが所定角度以上回転することがないので、受け体３の挿入部４ａが支持レール２の溝９から外れることもない。よって、突発的な撥ね上げる力が働いたときにも、受け体３が支持レール２から外れるのを防止できる。撥ね上げる力が解除されたとき、受け体３が反時計方向に回転し、再び受け体３の第一の係合部１３が支持レール２の第一の係合部１６に引っ掛かる。【００３１】
図９ないし図１１は、受け体３を支持レール２から取り外すときの工程図を示す。支持レール２から受け体３を取り外すときは、図９に示されるように、受け体３が支持レール２に取り付けられた状態（Ｓ１）から、まず棚板８を持ち上げて、受け体３を時計方向に前記所定角度未満に回転させる（Ｓ２）。図１０及び図１１に示されるように、受け体３を所定角度未満回転させた段階で、受け体３を支持レール２の手前側に引き出し、受け体３の挿入部４ａを支持レール２の溝９の内部を手前側に移動させる（Ｓ３）。受け体３を支持レール２の手前側に引き出すと、受け体３の第一の係合部１３が支持レール２の第一の係合部１６から外れ、受け体３の第二の係合部１４と支持レール２の第二の係合部１７との当接が解除される（Ｓ４，Ｓ５）。この状態で、受け体３をさらに回転させると、受け体３の挿入部４ａが支持レール２の溝９から抜け出て、受け体３が支持レール２から取り外される（Ｓ６）。【００３２】
図１２は、受け具の他の例を示す。この例の受け具においては、受け体２５の構造が上記実施形態の受け具と異なる。支持レール２の構造は上記実施形態の支持レール２と同一なので、同一の符号を附してその説明を省略する。【００３３】
受け体２５は、受け体本体２６及びブラケット２７の二部品から構成される。受け体本体２６は、支持レール２の溝９の内部に挿入される挿入部２６ａと、挿入部２６ａから手前側に伸び、棚板８の上面に当接可能な水平壁部２６ｂと、水平壁部２６ｂから垂直方向に垂れ下がり、棚板８の側面に当接可能な垂直壁部２６ｃと、を有する。挿入部２６ａは、支持レール２の溝９の奥に向かって上方に折れ曲がった円弧状の鉤形状に形成される。挿入部２６ａの基部には、凹状の第一の係合部２８が設けられ、挿入部２６ａの先端にフック状の第二の係合部２９が設けられる。【００３４】
ブラケット２７は、棚板８の下面側に張り出す。ブラケット２７と受け体本体２６との接合面は傾斜面になる。ブラケット２７及び受け体本体２６に螺合するボルト３５を回転させると、くさびの作用によってブラケット２７が受け体本体２６の水平壁部２６ｂに接近したり離間したりする。これにより棚板８の厚さの変化に対応することができる。また、ブラケット２７には、ボード１に頭部が当接可能なボルト３０がねじこまれる。このボルト３０がブラケット脚部６の替わりに、棚板８の自重によって働くモーメント荷重をボード１に押し付ける。【００３５】
図１３は、受け具のさらに他の例を示す。この例では、取付け対象物として棚板の替わりに棒状のフック４１を用いている。フック４１はその基部が受け体４３に受けられる。支持体４４はレール状ではなく、板状である。支持体４４の正面には、水平方向に伸びる溝４２が形成される。この溝４２に受け体４３の挿入部が着脱可能に嵌められる。受け体４３には第一及び第二の係合部が設けられる。支持体４４の溝４２内にも第一及び第二の係合部が設けられる。受け体４３の挿入部を支持体４４の溝４２に嵌めたとき、受け体４３の挿入部の第一の係合部が、支持体４４の溝の第一の係合部に引っ掛かって、受け体４３が支持体４４の溝４２から手前側に抜けるのが防止される。その一方、受け体４３の挿入部が支持体４４の溝４２内で所定角度回転すると、受け体４３の挿入部の第二の係合部が、支持体４４の溝４２の第二の係合部に当接して、受け体４３の回転が停止する。これにより、突発的に撥ね上げる力が働くときにも、受け体４３が支持体４４から外れるのを防止できる。【００３６】
なお、本発明は上記実施形態に限られることなく、本発明の要旨を変更しない範囲で様々に変更可能である。例えば、受け体が保持する取付け対象物は、棚板や棒状のフックに限られることなく、収納キャビネット、吊下具（吊下用フック）などであってもよい。また、上記実施形態においては、棚板が受け体の水平壁部の下方に配置されているが、水平壁部の上方に配置されてもよい。【００３７】
本明細書は、２００６年１１月１４日出願の特願２００６−３０８４３８に基づく。この内容はすべてここに含めておく。
【図１】
2008059628.tif 000003
【図２】
2008059628.tif 000004
【図３】
2008059628.tif 000005
【図４】
2008059628.tif 000006
【図５】
2008059628.tif 000007
【図６】
2008059628.tif 000008
【図７】
2008059628.tif 000009
【図８】
2008059628.tif 000010
【図９】
2008059628.tif 000011
【図１０】
2008059628.tif 000012
【図１１】
2008059628.tif 000013
【図１２】
2008059628.tif 000014
【図１３】
2008059628.tif 000015
【図１４Ａ】
2008059628.tif 000016
【図１４Ｂ】
2008059628.tif 000017
【国際調査報告】
2008059628.tif 000018
2008059628.tif 000019